【事件の表示】
　特願２０１８−５５３８１８「ヘッドマウントディスプレイ、表示制御装置、表示制御方法及びプログラム」拒絶査定不服審判事件〔平成３０年　６月　７日国際公開、ＷＯ２０１８／１０１１６２〕について、次のとおり審決する。
【結　論】
　本件審判の請求は、成り立たない。
【理　由】
第１　手続の経緯
　本願は、２０１７年（平成２９年）１１月２４日（優先権主張　平成２８年１２月１日）を国際出願日とする日本語特許出願であって、その後の手続の概要は、次のとおりである。
令和　元年　９月１０日付け：拒絶理由通知
令和　元年１１月１４日　　：意見書、手続補正書の提出
令和　２年　４月１０日付け：拒絶査定（以下「原査定」という。）
（原査定の謄本の送達日：令和２年４月２１日）
令和　２年　７月１０日　　：審判請求書の提出
第２　本願発明
　本願の請求項１〜９に係る発明は、令和元年１１月１４日に提出された手続補正書により補正された特許請求の範囲の請求項１〜９に記載された事項により特定されるとおりのものであると認められるところ、請求項１に係る発明（以下「本願発明」という。）は、次の請求項１の記載により特定されるとおりのものである。
「【請求項１】
　ヘッドマウントディスプレイであって、
　所定周波数での無線通信により映像送信装置から映像を受信する所定周波数通信部と、
　ユーザが前記ヘッドマウントディスプレイを装着したと判定される場合に、前記所定周波数通信部により受信される映像を、前記ヘッドマウントディスプレイの表示部に表示させる装着後映像表示制御部と、
　前記ユーザが前記ヘッドマウントディスプレイを装着したと判定される前に、前記所定周波数通信部による受信以外の方法により取得される映像を、前記表示部に表示させる装着前映像表示制御部と、
　を含むことを特徴とするヘッドマウントディスプレイ。」
第３　原査定の拒絶の理由
　原査定の本願発明についての拒絶の理由は、次のとおりである。
　本願発明は、本願の優先権主張の日（以下「優先日」という。）前に日本国内又は外国において、頒布された又は電気通信回線を通じて公衆に利用可能となった次の引用文献１及び引用文献２に記載された発明に基づいて、その優先日前にその発明の属する技術の分野における通常の知識を有する者が容易に発明をすることができたものであるから、特許法２９条２項の規定により特許を受けることができない。
　引用文献１．国際公開第２０１６／０１３２６９号公報
　引用文献２．特開２００４−２５８１２３号公報
第４　引用文献等
１　引用文献１
（１）引用文献１に記載された事項
　国際公開第２０１６／０１３２６９号（平成２８年１月２８日国際公開。以下「引用文献１」という。）には、次の記載がある。なお、下線は、当審が付したものであり、後述の引用発明の認定に直接用いるところに付してある。
「［００３４］図１には、本明細書で開示する技術を適用したヘッド・マウント・ディスプレイ１００を頭部に装着しているユーザーを正面から眺めた様子を示している。
［００３５］ヘッド・マウント・ディスプレイ１００は、ユーザーが頭部又は顔部に装着した際にユーザーの眼を直接覆い、画像視聴中のユーザーに没入感を与えることができる。また、
シースルーのタイプとは相違し、ヘッド・マウント・ディスプレイ１００を着用したユーザーは現実世界の風景を直接眺めることはできない
但し、ユーザーの視線方向の風景を撮影する外側カメラ３１２を装備し、その撮像画像を表示することにより、ユーザーは間接的に現実世界の風景を眺める（すなわち、ビデオ・シースルーで風景を表示する）ことができる。勿論、ビデオ・シースルー画像に対し、ＡＲ（Ａｕｇｍｅｎｔｅｄ　Ｒｅａｌｉｔｙ：拡張現実感）画像などの仮想的な表示画像を重ね合わせて見せることができる。
［００３６］
図１に示すヘッド・マウント・ディスプレイ１００は、帽子形状に類似した構造体であり、着用したユーザーの左右の眼を直接覆うように構成されている
［００３７］
ヘッド・マウント・ディスプレイ１００本体前面のほぼ中央には、周囲画像（ユーザーの視界）入力用の外側カメラ３１２が設置されている
［００３８］また、ヘッド・マウント・ディスプレイ１００本体の外側には、ユーザーが指先などを使ってタッチ入力することができるタッチパネル３１５が配設されている。図示の例では、左右一対のタッチパネル３１５を備えているが、単一又は３以上のタッチパネル３１５を備えていてもよい。
［００３９］
図２
ヘッド・マウント・ディスプレイ１００は、ユーザーの顔面と対向する側面に、左眼用及び右眼用の表示パネル１０４Ｌ、１０４Ｒを持つ
表示パネル１０４Ｌ、１０４Ｒの表示画像は、虚像光学部１０１Ｌ、１０１Ｒを通過するにより拡大虚像としてユーザーに観察される
［００４０］
図３には、ヘッド・マウント・ディスプレイ１００の内部構成例を示している
［００４１］
制御部３０１は、ＲＯＭ（Ｒｅａｄ　Ｏｎｌｙ　Ｍｅｍｏｒｙ）３０１ＡやＲＡＭ（Ｒａｎｄｏｍ　Ａｃｃｅｓｓ　Ｍｅｍｏｒｙ）３０１Ｂを備えている。ＲＯＭ３０１Ａ内には、制御部３０１で実行するプログラム・コードや各種データを格納している
制御部３０１は、ＲＡＭ３０１Ｂへロードしたプログラムを実行することで、画像の表示制御を始め、ヘッド・マウント・ディスプレイ１００全体の動作を統括的にコントロールする。
［００４２］なお、
ＲＯＭ３０１Ａに格納するプログラムとして、使用の開始時に実行する認証処理プログラム、外側カメラ３１２で撮影したシースルー画像や再生動画像を画面表示する表示制御プログラムを挙げることができる。
ＲＯＭ３０１Ａに格納するデータとして、当該ヘッド・マウント・ディスプレイ１００に固有の識別情報、当該ヘッド・マウント・ディスプレイ１００を使用するユーザーを認証するための認証情報（例えば、暗証番号やパスワード、生体情報）などのユーザー属性情報などを挙げることができる
「［００４５］
状態情報取得部３０４は、当該ヘッド・マウント・ディスプレイ１００本体、又は当該ヘッド・マウント・ディスプレイ１００を装着したユーザーの状態情報を取得する機能モジュールである
［００４６］状態情報取得部３０４は、ユーザーの頭部動作を追跡するために、例えばユーザーの頭部の位置及び姿勢の情報又は姿勢の情報を取得する。ユーザーの頭部動作を追跡するために、状態情報取得部３０４は、例えば３軸ジャイロ・センサー、３軸加速度センサー、３軸地磁気センサーの合計９軸を検出可能なセンサーとする。また、状態情報取得部３０４は、ＧＰＳ（Ｇｌｏｂａｌ　Ｐｏｓｉｔｉｏｎｉｎｇ　Ｓｙｓｔｅｍ）センサー、ドップラー・センサー、赤外線センサー、電波強度センサーなどのいずれか１つ又は２以上のセンサーをさらに組み合わせて用いてもよい。また、状態情報取得部３０４は、位置姿勢情報の取得に、携帯電話基地局情報やＰｌａｃｅＥｎｇｉｎｅ（登録商標）情報（無線ＬＡＮアクセスポイントからの電測情報）など、各種インフラストラクチャーから提供される情報をさらに組み合わせて用いるようにしてもよい。図３に示す例では、頭部動作追跡のための状態取得部３０４は、ヘッド・マウント・ディスプレイ１００に内蔵されるが、ヘッド・マウント・ディスプレイ１００に外付けされるアクセサリー部品などで構成するようにしてもよい。後者の場合、外付け接続される状態取得部３０４は、頭部の姿勢情報を例えば回転マトリックスの形式で表現し、Ｂｌｕｅｔｏｏｔｈ（登録商標）通信などの無線通信やＵＳＢ（Ｕｎｉｖｅｒｓａｌ　Ｓｅｒｉａｌ　Ｂｕｓ）のような高速な有線インフェース経由でヘッド・マウント・ディスプレイ１００本体に送信する。
［００４７］また、状態情報取得部３０４は、上述したユーザーの頭部動作の追跡の他に、当該ヘッド・マウント・ディスプレイ１００を装着したユーザーの状態情報として、例えば、ユーザーの作業状態（ヘッド・マウント・ディスプレイ１００の装着の有無）や、ユーザーの行動状態（静止、歩行、走行などの移動状態、手や指先によるジェスチャー、瞼の開閉状態、視線方向、瞳孔の大小）、精神状態（ユーザーが表示画像を観察中に没頭若しくは集中しているかなどの感動度、興奮度、覚醒度、感情や情動など）、さらには生理状態を取得する。また、状態情報取得部３０４は、これらの状態情報をユーザーから取得するために、外側カメラ３１２や、機械スイッチなどからなる装着センサー、ユーザーの顔を撮影する内側カメラ、ジャイロ・センサー、加速度センサー、速度センサー、圧力センサー、体温又は気温を検知する温度センサー、発汗センサー、脈拍センサー、筋電位センサー、眼電位センサー、脳波センサー、呼気センサー、ガス・イオン濃度センサーなどの各種の状態センサー、タイマー（いずれも図示しない）を備えていてもよい。また、
状態情報取得部３０４は、ヘッド・マウント・ディスプレイをユーザーの頭部に装着した際に、ユーザーの額に当接する動きに連動して、ヘッド・マウント・ディスプレイ１００がユーザーに装着されたことを検出する装着センサー（例えば、特許文献８を参照のこと）を利用して、ヘッド・マウント・ディスプレイ１００の装着の有無を検出するようにしてもよい。
「［００４９］
外側カメラ３１２は、例えばヘッド・マウント・ディスプレイ１００本体前面のほぼ中央に配置され（図２を参照のこと）、周囲画像を撮影することができる
外側カメラ３１２の撮影画像
また、撮影画像を通信部３０５から送信したり記憶部３０６に保存したりすることもできる。
「［００５２］
通信部３０５は、外部機器（図示しない）との通信処理、並びに通信信号の変復調並びに符号化復号処理を行なう。外部機器として、ユーザーがヘッド・マウント・ディスプレイ１００を使用する際の視聴コンテンツを供給するコンテンツ再生装置（ブルーレイ・ディスク又はＤＶＤプレイヤー）や、ストリーミング・サーバーを挙げることができる
［００５３］通信部３０５の構成は任意である。例えば、
通信相手となる外部機器との送受信動作に使用する通信方式に応じて、通信部３０５を構成することができる
通信方式は、有線、無線のいずれの形態であってもよい。ここで言う通信規格として、ＭＨＬ（Ｍｏｂｉｌｅ　Ｈｉｇｈ−ｄｅｆｉｎｉｔｉｏｎ　Ｌｉｎｋ）やＵＳＢ（Ｕｎｉｖｅｒｓａｌ　Ｓｅｒｉａｌ　Ｂｕｓ）、ＨＤＭＩ（登録商標）（Ｈｉｇｈ　Ｄｅｆｉｎｉｔｉｏｎ　Ｍｕｌｔｉｍｅｄｉａ　Ｉｎｔｅｒｆａｃｅ）、Ｗｉ−Ｆｉ（登録商標）、Ｂｌｕｅｔｏｏｔｈ（登録商標）通信やＢＬＥ（Ｂｌｕｅｔｏｏｔｈ（登録商標）　Ｌｏｗ　Ｅｎｅｒｇｙ）通信、ＡＮＴなどの超低消費電力無線通信、ＩＥＥＥ８０２．１１ｓなどで規格化されたメッシュ・ネットワークなどを挙げることができる。
［００５４］記憶部３０６は、ＳＳＤ（Ｓｏｌｉｄ　Ｓｔａｔｅ　Ｄｒｉｖｅ）などで構成される大容量記憶装置である。
記憶部３０６は、制御部３０１で実行するアプリケーション・プログラムや各種データを記憶している。例えば、ユーザーがヘッド・マウント・ディスプレイ１００を使用して、視聴するコンテンツを記憶部３０６に格納する。
［００５５］
画像処理部３０７は、制御部３０１から出力される画像信号に対して画質補正などの信号処理をさらに行なうとともに、表示部３０９の画面に合わせた解像度に変換する
表示駆動部３０８は、表示部３０９の画素を行毎に順次選択するとともに線順次走査して、信号処理された画像信号に基づく画素信号を供給する
［００５６］
表示部３０９は、例えば有機ＥＬ（Ｅｌｅｃｔｒｏ−Ｌｕｍｉｎｅｓｃｅｎｃｅ）素子や液晶ディスプレイなどのマイクロ・ディスプレイ、あるいは、網膜直描ディスプレイなどのレーザー走査方式ディスプレイで構成される表示パネルを有する
虚像光学部３１０は、表示部３０９の表示画像を拡大投影して、ユーザーには拡大虚像として観察させる
［００５７］なお、
表示部３０９で出力する表示画像として、コンテンツ再生装置（ブルーレイ・ディスク又はＤＶＤプレイヤー）やストリーミング・サーバーから供給される商用コンテンツ（仮想世界）、外側カメラ３１２の撮影画像（ユーザーの視界画像などの現実世界の画像）などを挙げることができる
［００５８］音声処理部３１３は、制御部３０１から出力される音声信号に対して音質補正や音声増幅、入力された音声信号などの信号処理をさらに行なう。そして、音声入出力部３１４は、音声処理後の音声を外部出力、並びにマイクロフォン（前述）からの音声入力を行なう。
［００５９］本実施例に係る
ヘッド・マウント・ディスプレイ１００は、遮光性、すなわち、着用したユーザーの眼を覆う。そして、表示部３０９には、映画などの商用コンテンツや、コンピューター・グラフィックスなどで表現された画像を表示する
虚像光学部３１０は、表示部３０９の表示画像を拡大投影して、適当な画角となる拡大虚像としてユーザーに観察させ
［００６０］また、本実施例に係るヘッド・マウント・ディスプレイ１００は、バッテリー（図示しない）により駆動し、さまざまな省電力機能を装備している。例えば、ユーザーがヘッド・マウント・ディスプレイ１００を装着したことを装着センサー（前述）で検出し、装着状態のときのみ表示部３０９に画像を表示し、それ以外のときには（主電源がオンであっても）表示部３０９を画面非表示状態にして、消費電力をセーブする。」
「［００６２］また、ヘッド・マウント・ディスプレイ１００の使用を開始するタイミングは、主電源をオンにしたときではなく、ユーザーがヘッド・マウント・ディスプレイ１００を装着したことを装着センサー（前述）で検出したときとする。したがって、ヘッド・マウント・ディスプレイ１００の主電源をオンにしても、ユーザーが頭部又は顔部に装着していなければ認証処理は起動しない。ユーザーがヘッド・マウント・ディスプレイ１００を装着したことを検出すると認証処理が開始され、認証画面が表示される。
［００６３］ユーザーは、遮光性のヘッド・マウント・ディスプレイ１００を装着すると、両眼が覆われ、視界が奪われ、目隠しされたのと同じ状態になる。そこで、本実施形態では、ユーザーがヘッド・マウント・ディスプレイ１００を頭部又は顔部に装着したことを装着センサー（前述）で検出し、その使用を開始すると、図４に示すように、初期画面４０１として、外側カメラ３１２で撮影したビデオ・シースルー画像を表示部３０９に即座に表示する。したがって、ユーザーは、ヘッド・マウント・ディスプレイ１００を装着すると、すぐに視界を取り戻して、周囲の風景を観察することができる。その後、ユーザーの操作などに応じて、外部入力される商用コンテンツ（映画など）の表示画面に遷移してもよい。」
「［００６７］
図６には、ヘッド・マウント・ディスプレイ１００の画面遷移例を示している
［００６８］
装着センサーなどを備えた状態情報取得部３０４が、ユーザーがヘッド・マウント・ディスプレイ１００を装着したことを検出したことをトリガーにして、ヘッド・マウント・ディスプレイ１００は、非装着状態６０１から装着状態６０２へ遷移する。
［００６９］
この状態遷移に応答して、表示部３０９は、非表示画面６１１から初期画面６１２へ遷移する。この初期画面６１２では、外側カメラ３１２で撮影したビデオ・シースルー画像６１３が表示される。したがって、ユーザーは、ヘッド・マウント・ディスプレイ１００を装着すると、すぐに視界を取り戻して、周囲の風景を観察することができる
すなわち、ユーザーは、常に自分の周囲の様子が分かるので、安全を確保することができる
［００７０］
その後、入力操作部３０２に対するユーザーの操作などに応じて、外部入力される商用コンテンツ（映画など）の表示画面６２１に遷移してもよい。
「［図１］
」
「［図２］
」
「［図３］
」
「［図４］
」
「［図６］
」
（２）引用文献１の記載から認定できる事項
　引用文献１の段落［００４０］及び図３の記載から、引用発明１に記載の発明の「ヘッド・マウント・ディスプレイ」が制御部３０１、通信部３０５、記憶部３０６、画像処理部３０７、表示駆動部３０８、表示部３０９、虚像光学部３１０、状態情報取得部３０４を内部構成として備えていることが理解できる。
（３）引用発明の認定
　前記（１）に摘記した記載事項及び上記（２）で認定した点を総合すると、引用文献１には、次の発明（以下「引用発明」という。）が記載されていると認められる。なお、確認を容易にする目的で、段落番号、図面番号等を各段落の末尾に示した。
＜引用発明＞
「帽子形状に類似した構造体であり、着用したユーザーの左右の眼を直接覆うように構成されているヘッド・マウント・ディスプレイ１００であって、（［００３６］、図１）
　ヘッド・マウント・ディスプレイ１００は、ユーザーの顔面と対向する側面に、左眼用及び右眼用の表示パネル１０４Ｌ、１０４Ｒを持ち、表示パネル１０４Ｌ、１０４Ｒの表示画像は、虚像光学部１０１Ｌ、１０１Ｒを通過することにより拡大虚像としてユーザーに観察されるものであって、（［００３９］、図２）
　ヘッド・マウント・ディスプレイ１００本体前面のほぼ中央には、周囲画像（ユーザーの視界）入力用の外側カメラ３１２が設置されており、（［００３７］、図１）
　ヘッド・マウント・ディスプレイ１００を着用したユーザーは現実世界の風景を直接眺めることはできず、ユーザーの視線方向の風景を撮影する外側カメラ３１２を装備し、その撮像画像を表示することにより、ユーザーは間接的に現実世界の風景を眺める（すなわち、ビデオ・シースルーで風景を表示する）ことができ、ビデオ・シースルー画像に対し、ＡＲ（拡張現実感）画像などの仮想的な表示画像を重ね合わせて見せることができるものであり、（［００３５］）
　ヘッド・マウント・ディスプレイ１００は、制御部３０１、通信部３０５、記憶部３０６、画像処理部３０７、表示駆動部３０８、表示部３０９、虚像光学部３１０、状態情報取得部３０４を内部構成として備えており、（前記（２）、［００４０］、［図３］）
　制御部３０１は、ＲＯＭ３０１ＡやＲＡＭ３０１Ｂを備えており、ＲＯＭ３０１Ａ内には、制御部３０１で実行するプログラム・コードや各種データが格納されており、制御部３０１は、ＲＡＭ３０１Ｂへロードしたプログラムを実行することで、画像の表示制御を始め、ヘッド・マウント・ディスプレイ１００全体の動作を統括的にコントロールするものであり、（［００４１］、［図３］）
　ＲＯＭ３０１Ａに格納するプログラムとしては、使用の開始時に実行する認証処理プログラム、外側カメラ３１２で撮影したシースルー画像や再生動画像を画面表示する表示制御プログラムがあり、ＲＯＭ３０１Ａに格納するデータとしては、当該ヘッド・マウント・ディスプレイ１００に固有の識別情報、当該ヘッド・マウント・ディスプレイ１００を使用するユーザーを認証するための認証情報（例えば、暗証番号やパスワード、生体情報）などのユーザー属性情報などがあり、（［００４２］、図３）
　通信部３０５は、外部機器との通信処理、並びに通信信号の変復調並びに符号化復号処理を行なうものであり、外部機器としては、ユーザーがヘッド・マウント・ディスプレイ１００を使用する際の視聴コンテンツを供給するコンテンツ再生装置（ブルーレイ・ディスク又はＤＶＤプレイヤー）や、ストリーミング・サーバーがあり、（［００５２］）
　通信部３０５は、通信相手となる外部機器との送受信動作に使用する通信方式に応じて構成することができ、通信方式は、有線、無線のいずれの形態であってもよく、通信規格としては、ＭＨＬやＵＳＢ、ＨＤＭＩ（登録商標）、Ｗｉ−Ｆｉ（登録商標）、Ｂｌｕｅｔｏｏｔｈ（登録商標）通信やＢＬＥ（Ｂｌｕｅｔｏｏｔｈ（登録商標）　Ｌｏｗ　Ｅｎｅｒｇｙ）通信、ＡＮＴなどの超低消費電力無線通信、ＩＥＥＥ８０２．１１ｓなどで規格化されたメッシュ・ネットワークなどであり、（［００５３］）
　記憶部３０６は、制御部３０１で実行するアプリケーション・プログラムや各種データを記憶しており、例えば、ユーザーがヘッド・マウント・ディスプレイ１００を使用して、視聴するコンテンツが格納され、（［００５４］）また、外側カメラ３１２が撮影した撮影画像が保存されるものであり、（［００４９］）
　画像処理部３０７は、制御部３０１から出力される画像信号に対して画質補正などの信号処理をさらに行なうとともに、表示部３０９の画面に合わせた解像度に変換するものであり、（［００５５］）
　表示駆動部３０８は、表示部３０９の画素を行毎に順次選択するとともに線順次走査して、信号処理された画像信号に基づく画素信号を供給するものであり、（［００５５］）
　表示部３０９は、映画などの商用コンテンツや、コンピューター・グラフィックスなどで表現された画像を表示するものであり、（［００５９］）
　表示部３０９で出力する表示画像としては、コンテンツ再生装置（ブルーレイ・ディスク又はＤＶＤプレイヤー）やストリーミング・サーバーから供給される商用コンテンツ（仮想世界）、外側カメラ３１２の撮影画像（ユーザーの視界画像などの現実世界の画像）などであることができ、（［００５７］）
　虚像光学部３１０は、表示部３０９の表示画像を拡大投影して、適当な画角となる拡大虚像としてユーザーに観察させるものであり、（［００５９］）
　状態情報取得部３０４は、ヘッド・マウント・ディスプレイ１００本体、又はヘッド・マウント・ディスプレイ１００を装着したユーザーの状態情報を取得する機能モジュールであり、（［００４５］）
　状態情報取得部３０４は、ヘッド・マウント・ディスプレイをユーザーの頭部に装着した際に、ユーザーの額に当接する動きに連動して、ヘッド・マウント・ディスプレイ１００がユーザーに装着されたことを検出する装着センサーを利用して、ヘッド・マウント・ディスプレイ１００の装着の有無を検出するものであり、（［００４７］）
　該装着センサーなどを備えた状態情報取得部３０４は、ユーザーがヘッド・マウント・ディスプレイ１００を装着したことを検出したことをトリガーにしてヘッド・マウント・ディスプレイ１００を非装着状態６０１から装着状態６０２へ遷移させ、（［００６８］、図６）
　この状態遷移に応答して、表示部３０９は、非表示画面６１１から初期画面６１２へ遷移し、この初期画面６１２では、外側カメラ３１２で撮影したビデオ・シースルー画像６１３が表示され、ユーザーは、ヘッド・マウント・ディスプレイ１００を装着すると、すぐに視界を取り戻して、周囲の風景を観察することができるため、ユーザーは、常に自分の周囲の様子が分かるので、安全を確保することができ、（［００６９］、図６）
　その後、入力操作部３０２に対するユーザーの操作などに応じて、外部入力される商用コンテンツ（映画など）の表示画面６２１に遷移する、（［００７０］、図６）
　ヘッド・マウント・ディスプレイ１００。」
２　引用文献２
（１）引用文献２に記載された技術事項
　特開２００４−２５８１２３号公報（以下「引用文献２」という。）には、次の記載がある。
「【０００１】
【発明の属する技術分野】
本発明は、頭部装着型表示装置に対して出力する画像を、頭部装着型表示装置を装着するユーザ以外に対して設けられた表示装置に対しても出力する表示制御を行う技術に関するものである。
【０００２】
【従来の技術】
従来より、現実空間の画像に三次元モデリングされたＣＧ（Ｃｏｍｐｕｔｅｒ Ｇｒａｐｈｉｃｓ）による画像を重畳した画像を生成し、観察者に提示することで、この観察者にあたかも現実空間中にＣＧで表現された物体（仮想物体）が存在しているかのように見せることができる複合現実感提示装置が存在する。
【０００３】
これは、現実空間の画像を撮像するための現実空間撮像手段（たとえばビデオカメラ）と、仮想空間において現実空間撮像手段の視点の位置から見たＣＧを生成するＣＧ生成手段と、両者を合成して表示することのできる表示手段（たとえばＨＭＤ（ヘッドマウントディスプレイ）またはモニタ）からなる装置である。
（中略）
【００１０】
また、観察者を複数設けることも可能である。その場合、現実空間を撮影するビデオカメラと表示装置（ＨＭＤなど）、位置姿勢センサを観察者の数だけ用意し、夫々の観察者の視点位置姿勢に応じた現実空間画像と仮想空間画像との合成画像を生成し、夫々の観察者に対して提示すればよい。
【００１１】
さらに、実際にＨＭＤを装着して複合現実空間を体験している体験者以外にも観衆がいる場合、体験者が見ている映像と同じ映像（体験者の視点から見た映像） を、観衆用の映像表示装置（ディスプレイ）に表示することがある。この場合は、観察者のＨＭＤの映像表示部に表示される画像と同じ画像を観衆用のディスプレイに表示するという構成をとればよい。このようにすると、実際にＨＭＤを装着していなくとも、体験者がどのような映像体験をしているのかを複数の観衆に同時に理解させることができる。
【００１２】
このように従来から、複数の体験者で複合現実空間を共有するシステムがあった（例えば、特許文献１を参照）。
【００１３】
【特許文献１】
特開２００２−２７１８１７号公報
【００１４】
【発明が解決しようとする課題】
従来のシステムでは、体験者が上記複合現実空間を体験し終わった後にＨＭＤを置き台などに戻した際もＨＭＤに取り付けられているビデオカメラは意味のない映像を撮影しつづけるため、観衆用映像表示装置にも無意味な（観衆にとって興味のない）映像が表示されてしまい、展示の効果が薄れてしまう、といった問題があった。また、上記複数の体験者で複合現実空間を共有するシステムには”観衆用の映像表示装置”は備わっていなかった。
【００１５】
本発明は以上の問題に鑑みてなされたものであり、ＨＭＤが使用されているか否かに応じて、観衆用の表示装置に表示させる画像を切り替える技術を提供することを目的とする。」
「【００２１】
図１は、本実施形態に係るシステムの基本構成を示す図である。本実施形態に係るシステムは、
ＨＭＤが有する表示部、及びＨＭＤを装着していない観衆に対して設けられた表示装置に対して複合現実空間画像（現実空間画像上に仮想空間画像が重畳された画像）を出力するが、ＨＭＤの使用の有無に応じて、表示装置に表示する表示内容を切り替える処理を行う
【００２２】
同図において１８０はコンピュータで、一般にはＰＣ（パーソナルコンピュータ）やワークステーションなどに代表されるものである。
コンピュータ１８０は、ＣＰＵ１０１、第１のメモリ１０３，第２のメモリ１０４、Ｉ／Ｆ１５０，１５１，１５３，ＨＤＤ（ハードディスクドライブ）１５２，そしてこれらを繋ぐバス１０２により構成されている
【００２３】
ＣＰＵ１０１はコンピュータ１８０全体の制御を行うと共に、Ｉ／Ｆ１５０，１５１，１５３を介してのデータ通信を制御したり、後述の各処理を制御したりする
【００２４】
第１のメモリ１０３は後述の各処理を行うためのプログラムをＨＤＤ１５２からロードして一時的に記憶する為のメモリである。このプログラムは、撮像部１１０、仮想空間画像生成部１１１、視点位置姿勢検出部１１２、使用状態判定部１１３の各部により構成されており、ＣＰＵ１０１が各部に対応するプログラムを実行する
【００２５】
第２のメモリ１０４は画像メモリ１２０、視点位置姿勢データメモリ１２１を備える
【００２６】
なお同図ではプログラムを記憶するためのメモリとデータを記憶するためのメモリは別個のメモリとしているが、これに限定されるものではなく、同一メモリ上に夫々のプログラム、データを記憶させても良い。
【００２７】
Ｉ／Ｆ１５０は分配器１０９をコンピュータ１８０に接続するためのもので、コンピュータ１８０が生成した複合現実空間画像はこのＩ／Ｆ１５０を介して分配器１０９に出力される。
【００２８】
Ｉ／Ｆ１５１はセンサ本体１０５をコンピュータ１８０に接続するためのもので、センサ本体１０５により得られるセンサ１０６の位置姿勢を示す信号はこのＩ／Ｆ１５１を介してコンピュータ１８０に入力される。
【００２９】
Ｉ／Ｆ１５３はＨＭＤ１０７に備わっている撮像装置１０８をコンピュータ１８０に接続するためのもので、撮像装置１０８により得られた現実空間の画像はこのＩ／Ｆ１５２を介してコンピュータ１８０に入力される。
【００３０】
ＨＤＤ１５２は後述する各データを保存していると共に、第１のメモリ１０３にロードされるプログラムを保存している。そして必要に応じてプログラムは第１のメモリ１０３に、データは第２のメモリに夫々ロードされる。
【００３１】
なお、プログラム、データのロード形態はこれに限定されるものではなく、コンピュータ１８０をインターネットやＬＡＮなどのネットワークに接続し、ネットワーク上の装置からダウンロードするようにしても良いし、ＣＤ−ＲＯＭやＤＶＤ−ＲＯＭなどの記憶媒体からロードするようにしても良い。
【００３２】
分配器１０９は、コンピュータ１８０が生成した複合現実空間画像をＨＭＤ１０７、観衆用表示装置１１０とに出力するためのものである。観衆用表示装置１１０は、ＨＭＤを装着していない観衆に対して設けられたものであって、ここにＨＭＤ１０７の表示部（不図示）に表示される画像と同じ画像を表示する
【００３３】
１０７はＨＭＤで、不図示の表示部を有しており、ここにＨＭＤ１０７に備え付けられた撮像装置１０８が撮像した現実空間の画像に仮想空間の画像が重畳された複合現実空間画像が表示される
【００３４】
また、ＨＭＤ１０７には撮像装置１０８に加えてセンサ１０６（例えば磁気センサ等）が備え付けられている。センサ１０６はセンサ本体１０５に接続されており、
周知の技術でもってセンサ１０６、センサ本体１０５によってセンサ１０６の位置姿勢を示す信号がセンサ本体１０５から出力される。
【００３５】
以上の構成を備えるシステムが行う上記表示切り替え処理について、同処理のフローチャートを示す図２を参照して説明する。なお、同図のフローチャートに従ったプログラムは第１のメモリ１０３に格納された各部により構成されたプログラムであって、このプログラムをＣＰＵ１０１が実行することで、コンピュータ１８０は図２に示したフローチャートに従った処理を実現することができる。
【００３６】
まず、撮像装置１０８により撮像された現実空間の画像はＩ／Ｆ１５３を介してコンピュータ１８０に入力されるので、撮像部１１０は入力された現実空間の画像を第２のメモリ１０４の画像メモリ１２０に記録する（ステップＳ２００）。撮像装置１０８は常に現実空間を撮像しているので、撮像部１１０は画像メモリ１２０に逐次現実空間の画像を記録する処理を行う。なお本ステップにおける処理は以下の各ステップによる処理と平行に並列処理によって行っても良い。次に、視点位置姿勢検出部１１２はセンサ本体１０５から入力されたセンサ１０６の位置姿勢を示す信号に基づいてＨＭＤ１０７（視点）の位置姿勢を求め、求めた位置姿勢のデータを第２のメモリ１０４中の視点位置姿勢データメモリ１２１に書き込む（ステップＳ２０１）。
【００３７】
ここで、センサ本体１０５から入力される信号は「センサ１０６の位置姿勢」を示すものであるので、予め「ＨＭＤ１０７（視点）」とセンサ１０６との位置関係を求めておき、第２のメモリ１０４に保持しておく。よってこの位置関係を用いることで、センサ本体１０５から入力された信号に基づいて視点の位置姿勢を求めることができる。以下ではこの視点の位置姿勢を「ＨＭＤ１０７の位置姿勢」とする。
【００３８】
またここで位置姿勢のデータとは、位置（ｘ、ｙ、ｚ）と姿勢（ｒｏｌｌ，ｐｉｔｃｈ，ｙａｗ）を示す為の６つのパラメータのデータである。
【００３９】
次に、使用状態判定部１１３は、ＨＭＤ１０７が観察者に使用されているか否かを判断する（ステップＳ２０２）。この使用の有無の判定については詳しくは後述する。
【００４０】
使用状態判定部１１３が「ＨＭＤ１０７は使用中である」と判定した場合、本システムは通常通り、ＨＭＤ１０７と表示装置１１０とに複合現実空間画像を表示させるための処理を行う
【００４１】
なお仮想空間は予め設定された有限のサイズの空間であるので、仮想空間データは当然この有限空間内における仮想物体や壁、床などのオブジェクトの仮想データの幾何学形状やテクスチャ、配置位置などのデータである。任意の位置姿勢における視点から見た仮想空間の画像の生成処理については周知の技術であるので、その説明は省略する。
【００４２】
これにより、ＨＭＤ１０７の位置姿勢に応じた仮想空間画像を生成することができる。なお、生成する仮想空間画像は画像メモリ１２０に記録される。これにより、先に画像メモリ１２０上に記憶された現実空間画像上に仮想空間画像が重畳されることになるので、結果として画像メモリ１２０上には複合現実空間画像が生成されている。
そして生成された複合現実空間画像はＣＰＵ１０１がＩ／Ｆ１５０、分配器１０９を介してＨＭＤ１０７、表示装置１１０とに出力する。その結果、複合現実空間画像はＨＭＤ１０７の不図示の表示部と表示装置１１０とに表示される
【００４３】
一方、
使用状態判定部１１３が「ＨＭＤ１０７は使用されていない」と判定した場合、本システムは、表示装置１１０に表示する画像を切り替える必要がある（表示装置１１０に表示される画像はＨＭＤ１０７の不図示の表示部にも表示されるので、結果としてＨＭＤ１０７の不図示の表示部に表示される画像も切り替わることになる）
よって本実施形態ではＨＭＤ１０７が使用されていないと判断された場合には、他の画像（代替画像）を表示する。即ち表示する画像を複合現実空間画像から代替画像に切り替える。
【００４４】
この代替画像としては、例えばＨＭＤ１０７を使用していたときに過去に生成した複合現実空間画像であっても良いし、展示物の紹介画像やロゴマークの画像、次の観察者に対する文章画像であっても良い。
【００４５】
ＨＤＤ１５２には代替画像データ１２３が保存されており、代替画像データ１２３が代替画像そのものを表している場合には仮想空間画像生成部１１１はこの代替画像データ１２３を画像メモリ１２０上に出力する処理を行う（ステップＳ２０６）。
【００４６】
そして画像メモリ１２０上に記録された代替画像はＣＰＵ１０１がＩ／Ｆ１５０、分配器１０９を介してＨＭＤ１０７、表示装置１１０とに出力する。その結果、代替画像はＨＭＤ１０７の不図示の表示部と表示装置１１０とに表示される（ステップＳ２０５）。
【００４７】
以上の処理は、処理を終える指示がコンピュータ１８０に入力されるまで行われる（ステップＳ２０８）。」
「【００６３】
また本実施形態では
ＨＭＤ１０７としてビデオシースルー方式のものを用いた
「【図１】
」
「【図２】
」
「【図４】
」
（２）引用文献２に記載された技術事項の認定
　前記（１）に摘記した事項を総合すると、引用文献２には、次の技術が記載されていると認められる（以下「引用文献２記載事項」という。）。
＜引用文献２記載事項＞
「ＨＭＤが有する表示部、及びＨＭＤを装着していない観衆に対して設けられた表示装置に対して複合現実空間画像（現実空間画像上に仮想空間画像が重畳された画像）を出力するが、ＨＭＤの使用の有無に応じて、表示装置に表示する表示内容を切り替える処理を行うシステムであって、（【００２１】）
　このシステムは、コンピュータ１８０、ＨＭＤ１０７、表示装置１１０を含み、（【図１】）
　ＨＭＤ１０７は、表示部を有し、撮像装置１０８が撮像した現実空間の画像に仮想空間の画像が重畳された複合現実空間画像が表示部に表示されるビデオシースルー方式のものであり、（【００３３】、【００６３】）
　表示装置１１０は、ＨＭＤを装着していない観衆に対して設けられ、ＨＭＤ１０７の表示部に表示される画像と同じ画像を表示するものであり、（【００３２】）
　コンピュータ１８０の使用状態判定部１１３が「ＨＭＤ１０７は使用中である」と判定した場合、複合現実空間画像がＨＭＤ１０７の表示部と表示装置１１０に表示され、（【００４０】、【００４２】）
　コンピュータ１８０の使用状態判定部１１３が「ＨＭＤ１０７は使用されていない」と判定した場合、代替画像がＨＭＤ１０７の表示部と表示装置１１０に表示され、（【００４３】、【００４６】）
　代替画像としては、例えばＨＭＤ１０７を使用していたときに過去に生成した複合現実空間画像であっても良いし、展示物の紹介画像やロゴマークの画像、次の観察者に対する文章画像であっても良い、（【００４４】）
　システム。」
３　引用文献３（技術常識を示す文献）
（１）引用文献３に記載された事項
　当審で新たに引用する特開２０１３−１１４１６０号公報（以下「引用文献３」という。）には、次の記載がある。
「【００１９】
　本発明の一実施形態について図面を参照して詳細に説明する。図１には、表示システムの構成例が、ブロック図により示されている。また、図２には、表示装置及び制御装置の外観図が示されている。
表示システムは、表示装置１００（ヘッドマウントディスプレイ）と、制御装置２００（コントローラー）とを備える。
【００２０】
　
ユーザーは、表示装置１００（眼鏡型）を頭部に装着することにより、表示装置１００の画像取り出し部に表示された所定画像（例えば、メニュー画像、アイコン画像）を見ることができる
【００２１】
　まず、表示装置の構成例を説明する。
　表示装置１００は、左眼用表示部１１０Ａと、右眼用表示部１１０Ｂとを備える。
左眼用表示部１１０Ａと右眼用表示部１１０Ｂとは互いに左右対称の構成を有するため、ここでは、左眼用表示部１１０Ａの構成例についてのみ説明する
「【００３６】
　
電源が投入された場合、シーケンス制御部１６４Ａは、センサー初期化データを初期化データ記憶部１６３Ａから取得する。
「【００３７】
　さらに、シーケンス制御部１６４Ａは、表示用補正データに応じた値を、デバイス制御部１６５Ａが有する表示用レジスターに設定する。これにより、シーケンス制御部１６４Ａは、表示装置１００の表示デバイス毎の個体ばらつきを補正することができる。」
「【００３８】
　なお、
シーケンス制御部１６４Ａ（パターン生成部）は、表示装置１００が起動中であることをユーザーに示すための画像（以下、「起動ロゴ画像」という）が画像取り出し部に表示されるように、デバイス制御部１６５Ａが有する表示用レジスターに所定値を設定してもよい。ここで、シーケンス制御部１６４Ａは、表示装置１００が備える画像記憶部（不図示）に予め記憶されている起動ロゴ画像データを、制御装置２００との通信が確立される前でも、制御装置２００から独立してデバイス制御部１６５Ａに転送する。これにより、シーケンス制御部１６４Ａは、デバイス制御部１６５Ａを介して、起動ロゴ画像を画像取り出し部に表示させることができる。
「【図１】
」
「【図２】
」
（２）　技術常識の認定
　引用文献３には次の技術事項が記載されていると認められる（以下「引用文献３記載事項」という。）。
［引用文献３記載事項］
「表示装置１００（ヘッドマウントディスプレイ）と、制御装置２００（コントローラー）を備える表示システムにおいて、（【００１９】）
　ユーザーは、表示装置１００（眼鏡型）を頭部に装着することにより、表示装置１００の画像取り出し部２１Ａ、２１Ｂに表示された所定画像（例えば、メニュー画像、アイコン画像）を見ることができ、（【００２０】、【図２】）
　電源が投入された場合、表示装置１００のシーケンス制御部１６４Ａ、１６４Ｂは、センサー初期化データを初期化データ記憶部１６３Ａ、１６３Ｂから取得し、（【００３６】、【００２１】）
　シーケンス制御部１６４Ａ、１６４Ｂは、表示装置１００が起動中であることをユーザーに示すための画像（以下、「起動ロゴ画像」という）が画像取り出し部２１Ａ、２１Ｂに表示されるように、表示装置１００のデバイス制御部１６５Ａ、１６５Ｂが有する表示用レジスターに所定値を設定し、
　シーケンス制御部１６４Ａ、１６５Ｂは、表示装置１００が備える画像記憶部に予め記憶されている起動ロゴ画像データを、制御装置２００との通信が確立される前でも、制御装置２００から独立してデバイス制御部１６５Ａ、１６５Ｂに転送し、これにより、シーケンス制御部１６４Ａ、１６４Ｂは、デバイス制御部１６５Ａ、１６４Ｂを介して、起動ロゴ画像を画像取り出し部２１Ａ、２１Ｂに表示させること。（【００３８】、【００２１】）」
　上記引用文献３記載事項に例示されるように、次の事項は、技術常識であると認められる。
＜技術常識＞
「ヘッドマウントディスプレイとコントローラーを備える表示システムにおいて、電源が投入された場合、起動ロゴ画像データをヘッドマウントディスプレイの表示部に表示させ、ヘッドマウントディスプレイが起動中であることをユーザーに示すために、起動ロゴ画像データをヘッドマウントディスプレイの画像記憶部に予め記憶し、ヘッドマウントディスプレイの制御部が、コントローラーから独立して、その表示を制御すること。」
第５　対比
（１）本願発明と引用発明の構成ごとの対比
ア　本願発明と引用発明は、「ヘッドマウントディスプレイ」の発明である点で一致する。
イ（ア）　引用発明の「ユーザーがヘッド・マウント・ディスプレイ１００を使用する際の視聴コンテンツを供給するコンテンツ再生装置（ブルーレイ・ディスク又はＤＶＤプレイヤー）や、ストリーミング・サーバー」などの「外部機器」は、本願発明の「映像送信装置」に相当し、引用発明の「外部機器」から「供給」される「視聴コンテンツ」は、本願発明の「映像送信装置」から「受信」する「映像」に相当する。
（イ）　引用発明の「通信部３０５」は、「外部機器との通信処理」を「行なう」ものであるから、上記の検討内容も踏まえると、引用発明の「通信部３０５」は、本願発明の「映像送信装置から映像を受信する」「通信部」に相当する。
　ここで、引用発明の「通信部３０５」の「通信方式」が「無線」の「形態」であることは、本願発明の「無線通信により」「映像を受信する」ことに相当する。
　また、引用発明の「通信部３０５」の「通信規格」は、「Ｗｉ−Ｆｉ（登録商標）、Ｂｌｕｅｔｏｏｔｈ（登録商標）通信やＢＬＥ（Ｂｌｕｅｔｏｏｔｈ（登録商標）　Ｌｏｗ　Ｅｎｅｒｇｙ）通信、ＡＮＴなど」であるところ、「Ｗｉ−Ｆｉ（登録商標）」は、２．４ＧＨｚ帯、５ＧＨｚ帯、６０ＧＨｚ帯の周波数帯を使用しており、「Ｂｌｕｅｔｏｏｔｈ（登録商標）通信」、「ＢＬＥ（Ｂｌｕｅｔｏｏｔｈ（登録商標）　Ｌｏｗ　Ｅｎｅｒｇｙ）通信」及び「ＡＮＴ」は、２．４ＧＨｚ帯の周波数帯を使用していることは、技術常識であるから、引用発明における、このような「通信規格」を用いた「無線」の「通信処理」は、本願発明の「所定の周波数での無線通信」に相当する。
（ウ）　上記（ア）及び（イ）の検討内容を踏まえると、引用発明の「通信部３０５」は、本願発明の「所定周波数での無線通信により映像送信装置から映像を受信する所定周波数通信部」に相当し、本願発明と引用発明は、「所定周波数での無線通信により映像送信装置から映像を受信する所定周波数通信部」を含む点で一致する。
ウ（ア）　引用発明の「状態情報取得部３０４」は、「ヘッド・マウント・ディスプレイをユーザーの頭部に装着した際に、ユーザーの額に当接する動きに連動して、ヘッド・マウント・ディスプレイ１００がユーザーに装着されたことを検出する装着センサーを利用して、ヘッド・マウント・ディスプレイ１００の装着の有無を検出するもの」であるところ、この「状態情報取得部３０４」が「ヘッド・マウント・ディスプレイ１００の装着」が「有」であると「検出する」ことは、本願発明の「ユーザが前記ヘッドマウントディスプレイを装着したと判定される」ことに相当する。
（イ）　引用発明の「表示部３０９」は、「映画などの商用コンテンツや、コンピューター・グラフィックスなどで表現された画像を表示するもの」であるから、本願発明の「前記ヘッドマウントディスプレイの表示部」に相当する。
　また、引用発明の「表示部３０９」では、「入力操作部３０２に対するユーザーの操作などに応じて、外部入力される商用コンテンツ（映画など）の表示画面６２１に遷移する」ところ、この「外部入力される商用コンテンツ（映画など）」は、「外部機器」から「供給」される「視聴コンテンツ」であるから、本願発明の「前記所定周波数通信部により受信される映像」に相当する。
　そうすると、引用発明の「表示部３０９」において、「外部入力される商用コンテンツ（映画など）の表示画面６２１に遷移する」ことは、本願発明の「前記所定周波数通信部により受信される映像を、前記ヘッドマウントディスプレイの表示部に表示」することに相当する
（ウ）　引用発明においては、「状態情報取得部３０４は、ユーザーがヘッド・マウント・ディスプレイ１００を装着したことを検出したことをトリガーにしてヘッド・マウント・ディスプレイ１００を非装着状態６０１から装着状態６０２へ遷移させ」、「この状態遷移に応答して、表示部３０９は、非表示画面６１１から初期画面６１２へ遷移し、この初期画面６１２では、外側カメラ３１２で撮影したビデオ・シースルー画像６１３が表示され」、「その後、入力操作部３０２に対するユーザーの操作などに応じて、外部入力される商用コンテンツ（映画など）の表示画面６２１に遷移する」。
　ここで、引用発明において「ユーザーがヘッド・マウント・ディスプレイ１００を装着したことを検出したことをトリガー」にすることは、本願発明において「ユーザが前記ヘッドマウントディスプレイを装着したと判定される場合」であることに相当する。
　前記ウ（イ）の検討内容を踏まえると、引用発明において、「ユーザーがヘッド・マウント・ディスプレイ１００を装着したことを検出したことをトリガーにして」、「表示部３０９」において「外部入力される商用コンテンツ（映画など）の表示画面６２１に遷移する」ことは、本願発明の「ユーザが前記ヘッドマウントディスプレイを装着したと判定される場合に、前記所定周波数通信部により受信される映像を、前記ヘッドマウントディスプレイの表示部に表示させる」ことに相当する。
（エ）　引用発明の「制御部３０１」は、「画像の表示制御を始め、ヘッド・マウント・ディスプレイ１００全体の動作を統括的にコントロールするもの」であるところ、「ユーザーがヘッド・マウント・ディスプレイ１００を装着したことを検出したことをトリガーにして」行われる「状態遷移」は、「制御部３０１」が行うものであるといえる。また、「この状態遷移に応答して」「表示部３０９」において行われる画面遷移も、「制御部３０１」が「画像処理部３０７」及び「表示駆動部３０８」を介して行う制御であるといえる。
　そして、「制御部３０１」が行うこれらの制御は、「ユーザーがヘッド・マウント・ディスプレイ１００を装着したことを検出したことをトリガーにして」行われる「画像の表示制御」であるから、引用発明の「制御部３０１」は、本願発明の「装着後映像表示制御部」に相当する。
（オ）　前記（ア）から（エ）の検討内容を踏まえると、引用発明の「制御部３０１」は、本願発明の「ユーザが前記ヘッドマウントディスプレイを装着したと判定される場合に、前記所定周波数通信部により受信される映像を、前記ヘッドマウントディスプレイの表示部に表示させる装着後映像表示制御部」に相当する。したがって、本願発明と引用発明は、「ユーザが前記ヘッドマウントディスプレイを装着したと判定される場合に、前記所定周波数通信部により受信される映像を、前記ヘッドマウントディスプレイの表示部に表示させる装着後映像表示制御部」を含む点で一致する。
（２）本願発明と引用発明の一致点及び相違点
　上記（１）の対比内容を総合すると、本願発明と引用発明は、次の一致点において一致し、相違点において相違する。
ア　一致点
「ヘッドマウントディスプレイであって、
　所定周波数での無線通信により映像送信装置から映像を受信する所定周波数通信部と、
　ユーザが前記ヘッドマウントディスプレイを装着したと判定される場合に、前記所定周波数通信部により受信される映像を、前記ヘッドマウントディスプレイの表示部に表示させる装着後映像表示制御部と、
　を含むヘッドマウントディスプレイ。」
　
イ　相違点
　本願発明は、「前記ユーザが前記ヘッドマウントディスプレイを装着したと判定される前に、前記所定周波数通信部による受信以外の方法により取得される映像を、前記表示部に表示させる装着前映像表示制御部」を含むのに対して、引用発明は、「ヘッド・マウント・ディスプレイ１００の装着」が「有」であると「検出」されないときは、「状態遷移」が起きず、「表示部３０９」の画面遷移も起きず、「非表示画面６１１」のままである点。
第６　判断
１　相違点について
（１）引用文献２には、「観衆用映像表示装置にも無意味な（観衆にとって興味のない）映像が表示されてしまい、展示の効果が薄れてしまう、といった問題」を解決するため、「ＨＭＤが有する表示部、及びＨＭＤを装着していない観衆に対して設けられた表示装置に対して複合現実空間画像（現実空間画像上に仮想空間画像が重畳された画像）を出力するが、ＨＭＤの使用の有無に応じて、表示装置に表示する表示内容を切り替える処理を行うシステム」において、「「ＨＭＤ１０７は使用中である」と判定した場合、複合現実空間画像がＨＭＤ１０７の表示部と表示装置１１０に表示され」、「「ＨＭＤ１０７は使用されていない」と判定した場合、「ロゴマークの画像」等を「代替画像」として「ＨＭＤ１０７の表示部と表示装置１１０に表示」することが開示されている（「引用文献２記載事項」、前記第４の２（２）参照）。
　ここで、上記「「ＨＭＤ１０７は使用されていない」と判定した場合」は、本願発明の「前記ユーザが前記ヘッドマウントディスプレイを装着したと判定される前」に対応するところ、引用文献２記載事項では、このような場合でも「ＨＭＤ１０７の表示部」を非表示状態とするのではなく、「ロゴマークの画像」等を「代替画像」として「ＨＭＤ１０７の表示部」に「表示」している。
　してみれば、引用発明の「ヘッド・マウント・ディスプレイ１００」の使用形態においても、ユーザー以外の観衆に対して、ユーザーが見る映像と同じ映像を表示する表示装置を設けることは可能であり、当該表示装置に観衆にとって興味のある映像を表示するために、「前記ユーザが前記ヘッドマウントディスプレイを装着したと判定される前」に「代替画像」を表示することは、当業者が容易に想到し得たことである。そして、その際、引用発明においては、「記憶部３０６」には、「例えば、ユーザーがヘッド・マウント・ディスプレイ１００を使用して、視聴するコンテンツが格納され」、「外側カメラ３１２が撮影した撮影画像が保存される」のであるから、これらを代替画像として選択することは、当業者が適宜なし得ることである。そして、「記憶部３０６」に格納された画像は、「前記所定周波数通信部による受信以外の方法により取得される映像」に相当する。
　そうすると、引用文献２記載事項が、ヘッドマウントディスプレイ未装着時における省電力状態での表示を実現するという目的から離れていたとしても、引用発明に引用文献２記載事項を適用することにより、結果として相違点に係る本願発明の構成に到達し得たと評価せざるをえない。
　なお、引用発明の「ヘッド・マウント・ディスプレイ１００」の使用形態が、ユーザー以外の観衆に対する表示装置を設けることを前提としていないとの立場からみても、引用発明と引用文献２記載事項は、ビデオ・シースルー方式のヘッド・マウント・ディスプレイの装着状態に応じて、その表示部の表示内容を変更するという点で共通するから、なお適用の余地はあるというべきであり、上記結論を変えるものではない。
（２）また、引用発明においては、「この状態遷移に応答して、表示部３０９は、非表示画面６１１から初期画面６１２へ遷移し、この初期画面６１２では、外側カメラ３１２で撮影したビデオ・シースルー画像６１３が表示され、ユーザーは、ヘッド・マウント・ディスプレイ１００を装着すると、
すぐに視界を取り戻して
　このような不安な状況をできるだけ解消するために、引用発明において、「消費電力をセーブする」「省電力機能」（引用文献１の段落［００６０］参照）を若干でも緩和して、電源投入直後の装着有りと判定される前であっても、例えば、装着センサーで検知する前に外側カメラ３１２等の別のセンサによりヘッド・マウント・ディスプレイ１００が動かされたことを検知して、表示部３０９の画面を装着よりも早めに表示状態とすることは、当業者には動機はあるというべきである。
　そして、「取り戻」される「視界」に相当する画像は、「外側カメラ３１２」により得られるものであるから、「前記所定周波数通信部による受信以外の方法により取得される映像」に相当する。
　そうすると、上記（１）の検討内容とは別の観点からみても、相違点に係る本願発明の構成は、引用発明に基づいて当業者が結果として容易に想到し得たものと評価せざるをえない。
（３）さらには、「ヘッドマウントディスプレイとコントローラーを備える表示システムにおいて、電源が投入された場合、起動ロゴ画像データをヘッドマウントディスプレイの表示部に表示させ、ヘッドマウントディスプレイが起動中であることをユーザーに示すために、起動ロゴ画像データを
ヘッドマウントディスプレイの画像記憶部
ヘッドマウントディスプレイの制御部
　してみれば、この技術常識に照らして、引用発明において、電源を投入した直後であって、ユーザがヘッドマウントディスプレイを装着したと判定される前に、ヘッド・マウント・ディスプレイ１００の記憶部３０６に格納されたロゴマーク画像の表示制御をヘッド・マウント・ディスプレイ１００の制御部３０１が行うようにして、本願発明の「装着前映像表示制御部」のごとく構成することは、当業者が当然なし得たことである。ここで、記憶部３０６に格納されたロゴマーク画像は、通信部３０５による受信以外の方法により取得された映像に相当する。
　そうすると、上記（１）及び（２）とは別の観点からみても、相違点に係る本願発明の構成は、引用発明に基づいて当業者が結果として容易に想到し得たものと評価せざるをえない。
（４）以上検討のとおり、引用発明、引用文献２記載事項及び技術常識に基づいて、上記相違点に係る本願発明の構成とすることは、当業者にとって格別の困難性はない。
２　効果について
　一般に電子機器において、電源投入直後にロゴなどを表示し、動作を開始していることを示すことは、あまりにも常識にすぎず（前記第４の３（２）の技術常識も参照）、本願発明の奏する「ユーザーがヘッドマウントディスプレイを装着したと判定される前に映像を表示部に表示することで、ユーザーの不安が緩和される。」という作用効果は、上記技術常識に係る構成が備える自明なものにすぎず、当該構成の効果として、当業者の予測を超える格別顕著なものということはできない。
３　請求人の主張について
（１）請求人の主張
　請求人は、審判請求書において、次のア及びイの主張をしている。
ア　請求人の主張１
　
装着前映像表示制御部が、ユーザがヘッドマウントディスプレイを装着したと判定される前に、所定周波数通信部による受信以外の方法により取得される映像を、表示部に表示させること」は、引用文献１にも引用文献３にも記載も示唆もされていない。
イ　請求人の主張２
　展示の効果が薄れることを防ぐためには表示装置１１０に表示される画像を代替画像に切り替えれば充分であり、ＨＭＤ１０７に表示されている画像を代替画像に切り替えなくても展示の効果が薄れることを防ぐという引用文献２に記載の発明の目的は達成されるのであり、ユーザがヘッドマウントディスプレイを装着し終わるまでにおけるユーザの不安を緩和させることについて全く触れられていないから、引用文献２に、装着前映像表示制御部が、ユーザがヘッドマウントディスプレイを装着したと判定される前に、所定周波数通信部による受信以外の方法により取得される映像を、当該ヘッドマウントディスプレイの表示部に表示させることが技術的思想として開示されているとは到底認められない。したがって、本願発明は進歩性を有する。
（２）請求人の主張についての検討
　引用文献２記載事項が、ヘッドマウントディスプレイ未装着時における省電力状態での表示を実現するという目的から離れていたとしても、当業者が結果として本願発明の構成に容易に想到し得たものであると評価せざるをえないことは、前記１（１）において説示したとおりである。また、その他の推考過程によっても、当業者が結果として本願発明の構成に容易に想到し得たものであると評価せざるをえないことは、前記１（２）又は１（３）において説示したとおりである。請求人の主張１及び主張２は、これらの論理を否定するものではないから、前記１の結論を左右するものとは認められない。
第７　むすび
　以上のとおり、本願発明は、引用発明、引用文献２記載事項及び技術常識に基づいて、その優先日前にその発明の属する技術の分野における通常の知識を有する者が容易に発明をすることができたものであるから、特許法２９条２項の規定により特許を受けることができない。
　したがって、他の請求項に係る発明について検討するまでもなく、本願は拒絶すべきものである。
　よって、結論のとおり審決する。